(57)【要約】【課題】高粘度の内容物であっても速やかに回収できるキャップを提供する。【解決手段】軸方向に貫通する注出用開口部２３を有するノズル基部１２と、容器本体とは反対側に延出するノズル部１３とを備える。ノズル基部の底面部は、ノズル部を傾倒する側に配置され内側筒部２１の下端から径方向内側に向かうのに従って下向きに傾斜する傾倒側傾斜底部２２Ａと、傾倒する側とは対向する側に配置され内側筒部の下端から径方向内側に向かうのに従って下向きに傾斜し傾倒側傾斜底部と交差部において交差する反傾倒側傾斜底部２２Ｂとを有する。交差部の上面側には、断面形状が略Ｖ字状の液会合部３４が間隔をあけて対で設けられる。注出用開口部の周縁は、液会合部の端部同士をつなぐ第１部分と、第１部分の端部同士をつなぐ第２部分とを含む。反傾倒側傾斜底部の下面よりも下側に突出する液回収促進面５１を有し反傾倒側傾斜底部に連設された突出壁５０を有する。【選択図】図４
2019123511.tif 000002
【特許請求の範囲】
【請求項１】
粘性を有する液状の内容物を収容する容器本体の口部に着脱可能に装着され前記内容物を傾倒注出するキャップであって、
前記口部に嵌合する嵌合部と、
前記嵌合部の内側に設けられ底面部に前記口部の軸方向に貫通する注出用開口部を有するノズル基部と、
前記注出用開口部の少なくとも一部を囲むように前記底面部に立設され前記容器本体とは反対側に延出するノズル部と、を備え、
前記ノズル基部は、内側筒部と、前記内側筒部の下側に設けられた前記底面部とを有する有底円筒状をなし、
前記底面部は、前記内容物を傾倒注出する際に前記ノズル部を傾倒する側に配置され前記内側筒部の下端から径方向内側に向かうのに従って下向きに傾斜する傾倒側傾斜底部と、前記傾倒する側とは対向する側に配置され前記内側筒部の下端から径方向内側に向かうのに従って下向きに傾斜し前記傾倒側傾斜底部と交差部において交差する反傾倒側傾斜底部とを有し、
前記交差部の上面側には、線状に連なり断面形状が略Ｖ字状の液会合部が前記軸方向の上面視で間隔をあけて対で設けられ、
前記注出用開口部の周縁は、前記上面視で対をなす前記液会合部の端部同士をつなぐ第１部分と、前記傾倒側傾斜底部に配置され前記第１部分の端部同士をつなぐ第２部分とを含み、
前記反傾倒側傾斜底部における前記第１部分の位置から前記軸方向下側に向けて、前記反傾倒側傾斜底部の下面よりも突出する液回収促進面を有し前記反傾倒側傾斜底部に連設された突出壁を有することを特徴とするキャップ。
【請求項２】
前記突出壁の下端は、水平な平坦部を有することを特徴とする請求項１記載のキャップ。
【請求項３】
前記突出壁における前記注出用開口部に臨む側面は、前記液会合部の端部同士をつなぐ方向の長さが前記第１部分の長さよりも長く形成されていることを特徴とする請求項１または２に記載のキャップ。
【請求項４】
前記傾倒側傾斜底部の上面及び前記反傾倒側傾斜底部の上面は、平面で形成されていることを特徴とする請求項１から３のいずれか一項に記載のキャップ。
【発明の詳細な説明】
【技術分野】
【０００１】
本発明は、キャップに関するものである。
【背景技術】
【０００２】
一般に、液体洗剤、液体漂白剤、液体柔軟剤、溶剤等の液状の内容物を収容する容器では、ノズルを有しボトル（容器本体）の口部に装着されるノズルキャップと、ノズルから注出される内容物を計量する計量筒部を有し、容器に着脱自在に装着される計量キャップとを有するものがある（例えば、特許文献１）。
【０００３】
上記の容器においては、計量キャップを容器から外し、容器本体を傾け（傾注し）、ノズルの注ぎ口から内容物を計量キャップ内に注入して計量し、使用後に計量キャップを嵌合して容器を正立させると、計量キャップ内に残留した内容物は計量キャップの内壁面からノズルキャップのノズル底部に垂れ落ち、傾斜したノズル底部を伝って貫通孔から容器内部に回収される。
【０００４】
上記の内容物は、環境・コスト面などから濃縮化が進んでいる。内容物を濃縮化すると粘度上昇となる可能性が高く、傾注操作や詰替え操作後にノズルキャップの液受け空間に残液を生じやすく、残液は液ダレの原因となる。そのため、例えば、特許文献２には、ノズルキャップの傾斜底壁の最下部から下方に延びる傾斜壁を設けることにより、液ダレした液を容器本体内にスムーズに回収することが記載されている。
【先行技術文献】
【特許文献】
【０００５】
【特許文献１】特許第５５３８１９３号公報
【特許文献２】特許第５０５２８８３号公報
【発明の概要】
【発明が解決しようとする課題】
【０００６】
特許文献２に記載された傾斜壁は、注出口をほぼ半分まで遮蔽しているため、内容物が高粘度である場合、内容物の注出及び回収に支障を来す可能性がある。また、傾斜筒壁の上面及び傾斜底壁の上面に沿って下降し、当該上面同士の交差部で会合した内容物は、傾斜壁の上面を移動した後に注出口に達するため、キャップに残留した内容物を速やかに回収できるとは言い難い。
【０００７】
本発明は、以上のような点を考慮してなされたもので、高粘度の内容物であっても速やかに回収できるキャップを提供することを目的とする。
【課題を解決するための手段】
【０００８】
本発明の第１の態様に従えば、粘性を有する液状の内容物を収容する容器本体の口部に着脱可能に装着され前記内容物を傾倒注出するキャップであって、前記口部に嵌合する嵌合部と、前記嵌合部の内側に設けられ底面部に前記口部の軸方向に貫通する注出用開口部を有するノズル基部と、前記注出用開口部の少なくとも一部を囲むように前記底面部に立設され前記容器本体とは反対側に延出するノズル部と、を備え、前記ノズル基部は、内側筒部と、前記内側筒部の下側に設けられた前記底面部とを有する有底円筒状をなし、前記底面部は、前記内容物を傾倒注出する際に前記ノズル部を傾倒する側に配置され前記内側筒部の下端から径方向内側に向かうのに従って下向きに傾斜する傾倒側傾斜底部と、前記傾倒する側とは対向する側に配置され前記内側筒部の下端から径方向内側に向かうのに従って下向きに傾斜し前記傾倒側傾斜底部と交差部において交差する反傾倒側傾斜底部とを有し、前記交差部の上面側には、線状に連なり断面形状が略Ｖ字状の液会合部が前記軸方向の上面視で間隔をあけて対で設けられ、前記注出用開口部の周縁は、前記上面視で対をなす前記液会合部の端部同士をつなぐ第１部分と、前記傾倒側傾斜底部に配置され前記第１部分の端部同士をつなぐ第２部分とを含み、前記反傾倒側傾斜底部における前記第１部分の位置から前記軸方向下側に向けて、前記反傾倒側傾斜底部の下面よりも突出する液回収促進面を有し前記反傾倒側傾斜底部に連設された突出壁を有することを特徴とするキャップが提供される。
【０００９】
また、上記本発明の一態様に係るキャップにおいて、前記突出壁の下端は、水平な平坦部を有することを特徴とする。
【００１０】
また、上記本発明の一態様に係るキャップにおいて、前記突出壁における前記注出用開口部に臨む側面は、前記液会合部の端部同士をつなぐ方向の長さが前記第１部分の長さよりも長く形成されていることを特徴とする。
【００１１】
また、上記本発明の一態様に係るキャップにおいて、前記傾倒側傾斜底部の上面及び前記反傾倒側傾斜底部の上面は、平面で形成されていることを特徴とする。
【発明の効果】
【００１２】
本発明のキャップでは、高粘度の内容物であっても速やかに回収することが可能になる。
【図面の簡単な説明】
【００１３】
【図１】第１実施形態に係るノズルキャップ（キャップ）が容器本体の口部に装着された正立状態の容器の構成を示す側面図。
【図２】同ノズルキャップ１０の構成を示す正面図である。
【図３】同ノズルキャップ１０の構成を示す左側面図である。
【図４】同ノズルキャップ１０の構成を示す断面斜視図である。
【図５】同ノズルキャップ１０を底部側から見た様子を示す斜視図である。
【図６】同ノズルキャップ１０を軸線方向から見た上面図である。
【図７】同ノズルキャップ１０が装着された容器を用いて、内容物を注出する動作を説明するための図である。
【図８】第２実施形態に係るノズルキャップ（キャップ）の構成を示す外観斜視図である。
【図９】第２実施形態に係るノズルキャップを軸線方向から見た上面図である。
【発明を実施するための形態】
【００１４】
本願発明者は、キャップ内に残留した液状の内容物の回収性を改善するために、残留した内容物が会合した際の内容物の体積（質量）の増加量と、内容物の表面張力の増加量との差に着目し、内容物の会合が多くなることにより内容物の体積（質量）が増加して容器本体内への落下が促進される構成を検討した。
以下、本発明のキャップに係る実施形態の構成について説明する。
【００１５】
［キャップの第１実施形態］
以下、本発明のキャップの第１実施形態を、図１ないし図７を参照して説明する。
なお、以下の実施形態は、本発明の一態様を示すものであり、この発明を限定するものではなく、本発明の技術的思想の範囲内で任意に変更可能である。また、以下の図面においては、各構成をわかりやすくするために、実際の構造と各構造における縮尺や数等を異ならせている。
【００１６】
図１は、第１実施形態に係るノズルキャップ（キャップ）１０が容器本体１００Ａの口部１０１に装着された正立状態の容器１００の構成を示す側面図である。図２は、ノズルキャップ１０の構成を示す正面図である。図３は、ノズルキャップ１０の構成を示す左側面図である。図４は、ノズルキャップ１０の構成を示す断面斜視図である。図５は、ノズルキャップ１０を底部側から見た様子を示す斜視図である。図６は、ノズルキャップ１０を軸線方向から見た上面図である。
【００１７】
本実施形態のノズルキャップ１０は、図１に示すように、内容物を収容する容器本体１００Ａの上端に形成された口部１０１に嵌合する中栓であり、その上側に内容物を計量する計量キャップ１０２が装着されるものである。
【００１８】
容器本体１００Ａは、例えばポリエチレン等のオレフィン系合成樹脂を用いたブロー成形により一体形成されている。容器本体１００Ａは、内容物として、例えば、液体洗剤、液体漂白剤、液体柔軟剤、溶剤等の液状物を収納するための収容空間１００ａを有している。容器本体１００Ａの口部１０１は、上下方向（Ｚ方向）に延びる軸線Ｃを中心とする円筒状に形成されており、収容空間１００ａを上方に開放している。口部１０１の外周には、軸線Ｃ周りに雄ねじ部（不図示）が形成されており、本実施形態におけるノズルキャップ１０が螺合する。
【００１９】
本実施形態では、螺合タイプのノズルキャップ１０の構成について述べるが、これに限らない。ノズルキャップ１０は、例えば、圧入やアンダーカット部等の係合により、上方に抜けないように容器本体１００Ａの口部１０１に挿入されて嵌合する構成であってもよい。
【００２０】
以下の説明では、軸線Ｃに沿った方向を軸線方向、軸線Ｃに直交する方向を径方向、軸線Ｃを中心とする軸周り方向を周方向と適宜称する。また、ノズルキャップ１０において、軸線方向における計量キャップ１０２側を上方（上側）、容器本体１００Ａ側を下方（下側）と適宜称する。また、軸線方向をＺ方向とし、図１中、径方向をＸ方向とし、Ｚ方向およびＸ方向と直交する方向（図１中、紙面と直交する方向）をＹ方向として適宜説明する。
【００２１】
図２に示すように、ノズルキャップ１０は、例えば、ポリプロピレン等のオレフィン系合成樹脂を用いた射出成形により形成されている。ノズルキャップ１０は、嵌合部１１、ノズル基部１２、ノズル部１３及び突出壁５０を主に有し、互いに軸線Ｃを中心として構成されている。
【００２２】
嵌合部１１は、筒状をなし、図１に示した容器本体１００Ａの口部１０１の外側に嵌合する。嵌合部１１は、ノズルキャップ１０の下端側にキャップ最大径となる環状凸部１４と、軸線Ｃに沿う環状凸部１４の上端に連続し環状凸部１４よりも径方向内側に位置する中間部１５と、中間部１５の環状凸部１４とは反対側の端部に連続するとともに中間部１５よりも径方向内側に位置する上部１６とを有している。上部１６の軸線Ｃ周りには、計量キャップ１０２の雌ねじ部に螺合する雄ねじ部１７が形成されている。本実施形態のノズルキャップ１０は、軸線Ｃに沿って上部１６から中間部１５、環状凸部１４へ向かうに従って、径方向外側に段階的に拡径した形状となっている。
【００２３】
図１に示したように、ノズルキャップ１０には上述の計量キャップ１０２が装着される。計量キャップ１０２は、図２に示すように、上部１６の外側から、上部１６と中間部１５との間の段差１９内に収まるように装着される。すなわち、計量キャップ１０２がノズルキャップ１０に装着された状態で、計量キャップ１０２からノズルキャップ１０にかけて連続した外形をなすように構成されている。
【００２４】
また、嵌合部１１には、図４に示すように、内周面１１ｂに沿って軸線Ｃ周りに雌ねじ部２０が形成されており、図１に示した容器本体１００Ａの口部１０１の外側に形成された雄ねじ部（不図示）に螺合する構成とされている。
【００２５】
ノズル基部１２は、嵌合部１１の内側に同軸をなして設けられ、キャップ装着時に容器本体１００Ａの口部１０１内に挿入される。ノズル基部１２は、図２乃至図５に示すように、内側筒部２１と、内側筒部２１の下端側に設けられた底面部２２とを有する有底円筒状に形成されている。底面部２２には、注出用開口部２３（図４及び図５参照）が形成されている。
【００２６】
内側筒部２１は、図４に示すように、嵌合部１１の上部１６よりも径方向内側（軸線Ｃ側）に位置し、軸線Ｃに沿う下端側が環状凸部１４よりも−Ｚ側（容器本体１００Ａ側）に突出している。
【００２７】
底面部２２は、容器本体１００Ａ側に凸のＶ字形状に形成されている。図５に示すように、底面部２２は、互いに傾斜角度が異なり−Ｘ側からＸ方向に沿って順次配置された平板状の第１傾斜部（傾倒側傾斜底部）２２Ａと、平板状の第２傾斜部（反傾倒側傾斜底部）２２Ｂとを有している。第１傾斜部２２Ａは、内容物を傾倒注出する際にノズル部１３を傾倒する側（−Ｘ側）に配置され内側筒部２１の下端から径方向内側（＋Ｘ側）に向かうのに従って下向きに傾斜している。第２傾斜部２２Ｂは、上記傾倒する側とは対向する側（＋Ｘ側）に配置され内側筒部２１の下端から径方向内側（−Ｘ側）に向かうのに従って下向きに傾斜している。
【００２８】
第１傾斜部２２Ａ及び第２傾斜部２２Ｂがそれぞれ水平面（ＸＹ平面）に対して傾斜する角度（以下、単に傾斜角度と称する）の大小関係は、第１傾斜部２２Ａ及び第２傾斜部２２Ｂが軸線Ｃよりも＋Ｘ側の位置で交差していることにより決定される。すなわち、第１傾斜部２２Ａの傾斜角度は、第２傾斜部２２Ｂの傾斜角度よりも小さい。第１傾斜部２２Ａの上面３２Ａと第２傾斜部２２Ｂの上面３２Ｂとは平面形状であり、軸線Ｃよりも＋Ｘ側の位置で断面形状が＋Ｚ側に開口する略Ｖ字状に交差している。上面３２Ａと上面３２Ｂとの交差部は、主に自重によって上面３２Ａに沿って下向きに移動する液状の内容物と、主に自重によって上面３２Ｂに沿って下向きに移動する液状の内容物とが会合する液会合部３４である。図６に示すように、液会合部３４は、軸線Ｃ方向の上面視でＹ方向に線状に連なり、注出用開口部２３を挟んだＹ方向の両側に対で設けられている。
【００２９】
ノズル部１３は、ノズル基部１２の底面部２２に立設され、軸線Ｃに沿って容器本体１００Ａとは反対側（＋Ｚ側）に向かって延出している。具体的には、ノズル部１３は、底面部２２の第１傾斜部２２Ａに立設された樋状部２４と、一対の受け部２６，２６とを有している。
【００３０】
樋状部２４は、図６に示すように、注出用開口部２３の周縁から上方（＋Ｚ側）へ立ち上がるようにして延在し、内側に形成されるノズル流路１８の流路径が延在方向（Ｚ方向）で略一定とされている。樋状部２４は、軸線Ｃ方向の上面視において、注出用開口部２３の周縁のうちの一部を囲むようにして設けられている。樋状部２４は、＋Ｘ側に開口する断面Ｕ字形状をなし、＋Ｘ側の開口端２４ａ，２４ａは注出用開口部２３の周縁から外れた位置にＸ方向に沿って延在している。
【００３１】
樋状部２４の両外側には、樋状部２４に沿って軸線方向へ延びるとともに樋状部２４の外形に倣って湾曲する一対の受け部２６，２６が設けられている。受け部２６は、軸線Ｃ方向の上面視において、軸線Ｃを中心とする円弧形状に形成され、一端が樋状部２４に接続されている。受け部２６は、第１傾斜部２２Ａに＋Ｚ側に向けて立設されている。
【００３２】
本実施形態の注出用開口部２３は、第１傾斜部２２ＡをＺ方向に貫通して形成されている。注出用開口部２３は、周縁２３ａ、２３ｂ、２３ｃを有している。周縁２３ａは、軸線Ｃ方向の上面視において、樋状部２４の内壁面２４ｂのうち、Ｘ方向に関して開口端２４ａと軸線Ｃとの間の位置よりも−Ｘ側の内壁面２４ｂと略面一に形成されている。周縁２３ｃは、軸線Ｃ方向の上面視において、対で配置された液会合部３４の端部同士をつないでおり、Ｙ方向に延びて形成されている。Ｙ方向に関する周縁２３ｃの各端部の位置は、開口端２４ａと軸線Ｃとの間に配置されている。周縁２３ｂのそれぞれは、周縁２３ａの端部と周縁２３ｃの端部とをつないでいる。
【００３３】
すなわち、周縁２３ｃは、対で配置された液会合部３４の端部同士をつなぐ第１部分であり、周縁２３ａ、２３ｂは、第１部分の端部同士をつなぐ第２部分である。樋状部２４の内側には、底面部２２の第１傾斜部２２Ａの一部からなる流出規制部２９がそれぞれ設けられている。流出規制部２９は、開口端２４ａ，２４ａ側の樋状部２４と、周縁２３ｂと、液会合部３４とにより囲まれた領域である。これら流出規制部２９により、注出用開口部２３の周縁の一部が樋状部２４の内壁面２４ｂから離れた構成となっている。
【００３４】
図４乃至図６に示すように、突出壁５０は、ＹＺ平面と平行な板状に形成されている。突出壁５０は、第２傾斜部２２Ｂの下端部から−Ｚ側に延出して連設されている。突出壁５０における−Ｘ側の側面５０ａは、Ｙ方向に関して周縁２３ｃを含み、周縁２３ｃよりも長く形成されている。突出壁５０における＋Ｘ側の側面５０ｂは、第２傾斜部２２Ｂの下面３３Ｂに接続されている。また、突出壁５０の下端は、図３に示すように、水平な平坦面（平坦部）５０ｃを有している。なお、平坦部としては、水平な平坦面５０ｃの他に、Ｙ方向の両端がＺ方向で同一位置にあり中央側が両端に対して＋Ｚ側に凹んだ形状であってもよい。
【００３５】
側面５０ａは、上端のＸ方向の位置が液会合部３４及び周縁２３ｃと同一の位置である。上端のＸ方向の位置が周縁２３ｃと同一位置の側面５０ａは、注出用開口部２３に臨んでいる。側面５０ａは、液会合部３４の端部同士をつなぐ方向の長さが周縁２３ｃの長さよりも長く形成されている。側面５０ａのうち、注出用開口部２３に臨む側面５０ａは、後述するように、液状の内容物の容器本体１００Ａへの回収を促進させる液回収促進面５１である。
【００３６】
Ｘ方向及びＺ方向において、液回収促進面５１の上端位置は、液会合部３４と同一位置である。Ｙ方向における液回収促進面５１の両端は、液会合部３４と接続されている。すなわち、液回収促進面５１の両端では、第１傾斜部２２Ａの上面３２Ａと、第２傾斜部２２Ｂの上面３２Ｂと、液回収促進面５１とが交差している。そのため、液会合部３４の延長線は、液回収促進面５１上に配置されている。
【００３７】
上記構成のノズルキャップ１０は、図１に示した容器本体１００Ａの口部１０１から、ノズル基部１２の底部側を収容空間１００ａ内へ挿入させつつ、嵌合部１１の雌ねじ部２０を容器本体１００Ａ側の雄ねじ部（不図示）に螺合させながら締結することにより、容器本体１００Ａに装着される。容器本体１００Ａに装着されたノズルキャップ１０には、嵌合部１１の雄ねじ部１７に計量キャップ１０２の雌ねじ部（不図示）が螺合されて締結されることにより、計量キャップ１０２が装着される。
【００３８】
容器本体１００Ａ内から内容物を注出する際には、計量キャップ１０２を締結時とは逆方向に回転して、計量キャップ１０２の雌ねじ部（不図示）と、ノズルキャップ１０の雄ねじ部１７との螺合を解除して計量キャップ１０２をノズルキャップ１０から取り外す。計量キャップ１０２を取り外した状態で、容器本体１００Ａを把持してノズルキャップ１０のノズル部１３の開口側を上方に向け、その後、図７に示すように、ノズル部１３が下方に位置するように斜めに傾けることにより、容器本体１００Ａに収納された内容物をノズル部１３から計量キャップ１０２に注出して計量することができる。
【００３９】
このとき、内容物を多く出し過ぎてしまった場合は再び容器本体１００Ａ内へ戻そうとするが、その際に、注出用開口部２３内へ入らなかった内容物は、第１傾斜部２２Ａの上面３２Ａ、第２傾斜部２２Ｂの上面３２Ｂまたは受け部２６，２６によって受け止められる。受け部２６によって受容された内容物は、第１傾斜部２２Ａの上面３２Ａを流動し、上面３２Ａにおける最下部の液会合部３４に達する。
【００４０】
一方、第２傾斜部２２Ｂの上面３２Ｂを流動した内容物のうち、注出用開口部２３の周縁２３ｃに達した内容物は、突出壁５０の液回収促進面５１に沿って流下する。また、第２傾斜部２２Ｂの上面３２Ｂを流動した内容物のうち、周縁２３ｃから外れた位置の内容物は、上面３２Ｂおける最下部の液会合部３４に達する。
【００４１】
液会合部３４においては、上面３２Ａを流動した内容物同士、上面３２Ｂを流動した内容物同士、あるいは上面３２Ａを流動した内容物と上面３２Ｂを流動した内容物が会合する。液会合部３４においては、注出用開口部２３と逆側が内側筒部２１で遮蔽されているため、会合し増加した内容物は注出用開口部２３に向かって移動し、液会合部３４と連なった液回収促進面５１に沿って流下する。
【００４２】
液会合部３４から液回収促進面５１に達した内容物は、例えば、複数の液滴が合一することで液滴毎の重量が大きくなっている。また、液回収促進面５１に沿って流下する内容物の液滴も内容物が高粘度で流下速度が遅いことから、液回収促進面５１においても液滴同士が合一して液滴毎の重量が大きくなる。
【００４３】
液回収促進面５１に付着している内容物については、体積（質量）に応じた重力が下向きに作用する。一方、内容物の表面張力は、表面積（液回収促進面５１との接触面積）の大きさに応じて大きくなる。内容物の表面張力は、重力の作用を阻害する方向に作用する。
【００４４】
ここで理解を容易にするために、内容物の液滴が半径ｒ１、表面積Ｓ１、体積Ｖ１の球形であるとした場合、体積Ｖ１は下式（１）で表され、表面積Ｓ１は下式（２）で表される。
Ｖ１＝（４／３）×π×（ｒ１）３  …（１）
Ｓ１＝４×π×（ｒ１）２  …（２）
【００４５】
そして、二つの液滴が合一した液滴が半径ｒ２、表面積Ｓ２、体積Ｖ２の球形であるとした場合、体積Ｖ２は下式（３）で表される。
Ｖ２＝（４／３）×π×（ｒ２）３  …（３）
Ｖ２／Ｖ１＝２と、上式（１）、（３）から下式（４）が導かれる。
ｒ２＝ｒ１×（２）１／３≒ｒ１×１．２６  …（４）
合一した液滴の表面積Ｓ２は、４×π×（ｒ２）２  であるから上式（４）から下式（５）が導かれる。
Ｓ２＝Ｓ１×（ｒ２／ｒ１）２≒Ｓ１×１．５９  …（５）
【００４６】
従って、二つの液滴が合一した液滴は、重力による下向きの力が２倍になるのに対して表面張力は約１．５９倍となり、相対的に液滴に対して下向きに作用する力が、２／１．５９≒１．２６倍に大きくなる。これにより、液回収促進面５１において液滴の合一が進むのに従って、下向きに作用する力、すなわち内容物の液滴を落下させて容器本体１００Ａに回収するための力が大きくなる。その結果、内容物を速やかに容器本体Ａに回収することが可能となる。また、合一する液滴が３滴以上の場合には、さらに液滴に対して下向きに作用する力が大きくなり内容物の回収がより速やかに行える。
【００４７】
以上のように、本実施形態のノズルキャップ１０においては、第１傾斜部２２Ａの上面３２Ａと第２傾斜部２２Ｂの上面３２Ｂとが底面部２２の下端にて交差する液会合部３４を設け、液会合部３４の端部同士をつなぐ注出用開口部２３の周縁２３ｃを設けることにより、液回収促進面５１において、液会合部３４から流動した液滴、上面３２Ｂから流下した液滴を合一して体積及び質量が大きな液滴を形成することが可能となる。そのため、本実施形態のノズルキャップ１０においては、高粘度の内容物であっても表面張力よりも重力の影響を大きくすることで内容物を速やかに容器本体１００Ａに回収することが可能となる。
【００４８】
また、本実施形態のノズルキャップ１０においては、突出壁５０の液会合部３４の端部同士をつなぐ方向の長さを周縁２３ｃの長さよりも長くすることにより、液会合部３４の端部と回収促進面５１との間に隙間ができることを回避できる。そのため、本実施形態のノズルキャップ１０においては、当該隙間において液滴の合一が途切れ、内容物の速やかな回収に支障を来すことを抑制できる。
【００４９】
また、本実施形態のノズルキャップ１０においては、突出壁５０の下端部に水平な平坦面５０Ｃが設けられているので、ノズルキャップ１０を安定した姿勢で静置することが可能であり、製造工程でのキャップ供給プロセスにおけるハンドリング性が高まり、生産性向上が図られる。
【００５０】
［キャップの第２実施形態］
続いて、キャップ１０の第２実施形態について、図８及び図９を参照して説明する。これらの図において、図１乃至図７に示す第１実施形態の構成要素と同一の要素については同一符号を付し、その説明を省略する。第２実施形態に係るキャップ１０は、第１傾斜部２２Ａの構成が第１実施形態と異なっている。
【００５１】
図８は、第２実施形態に係るノズルキャップ（キャップ）１０の構成を示す外観斜視図である。図９は、図８に示すノズルキャップ１０を軸線方向から見た上面図である。
【００５２】
図８及び図９に示すように、本実施形態におけるノズルキャップ１０の第１傾斜部２２Ａは、−Ｘ側からＸ方向に沿って順次配置された平板状の緩傾斜部４２と急傾斜部４３とを有している。緩傾斜部４２は、内側筒部２１の下端から径方向内側（＋Ｘ側）に向かうのに従って下向きに傾斜している。急傾斜部４３は、緩傾斜部４２の下端から液会合部３４に向かうのに従って下向きに傾斜している。緩傾斜部４２の上面４２Ａと、急傾斜部４３の上面４３Ａとは平面形状である。水平面に対する上面４３Ａの交差角度は、水平面に対する上面４２Ａの交差角度よりも大きい。
【００５３】
さらに、急傾斜部４３は、内側筒部２１の下端からＹ方向に沿って軸線Ｃに向かうのに従って下向きに傾斜している。すなわち、急傾斜部４３の上面４３Ａは、ＸＹ平面をＸ軸周り及びＹ軸周りに回転した平面と平行な平面形状で形成されている。従って、急傾斜部４３の上面４３Ａと第２傾斜部２２Ｂの上面３２Ｂとの交差部である液会合部３４は、Ｙ方向の両外側から軸線Ｃ（注出用開口部２３）に向かうのに従って下向き（−Ｚ側）に傾斜している。
【００５４】
緩傾斜部４２の上面４２Ａについては、ＸＹ平面をＹ軸周りに回転した平面と平行な平面形状である。この場合、上面４２Ａと上面４３Ａとは段差が生じた状態で連結される。そのため、上面４２Ａから上面４３Ａに円滑に液滴が流動可能とするために、上面４３Ａを上面４２Ａよりも下側（−Ｚ側）に配置する。例えば、上面４３Ａは、Ｙ方向の最も両外側の位置で上面４２Ａと交差し、当該交差部からＹ方向で軸線Ｃ（注出用開口部２３）に向かうのに従って、上面４２Ａの下端との距離が漸次大きくなるように下向き（−Ｚ側）に傾斜する構成とする。
【００５５】
なお、緩傾斜部４２の上面４２Ａについては、上面４３Ａと同様に、ＸＹ平面をＸ軸周り及びＹ軸周りに回転した平面と平行な平面形状であってもよい。上面４２ＡがＸＹ平面をＸ軸周り及びＹ軸周りに回転した平面と平行な平面形状である場合には、上面４２ＡのＸ軸周りの回転角度を上面４３ＡのＸ軸周りの回転角度と同一とすることにより、上面４２Ａと上面４３Ａとは段差が生じることなく連続的に連結される。この場合、Ｙ方向の両側に配置された上面４２Ａ同士は、樋状部２４の−Ｘ側において交差し、軸線Ｃと交差するＸ軸と平行な図示しない稜線を形成することになる。
【００５６】
急傾斜部４３の上面４３Ａと第２傾斜部２２Ｂの上面３２Ｂとは断面形状が＋Ｚ側に開口する略Ｖ字状に交差している。急傾斜部４３の上面４３Ａと第２傾斜部２２Ｂの上面３２Ｂとの交差角度は、上記第１実施形態で示した第１傾斜部２２Ａの上面３２Ａと第２傾斜部２２Ｂの上面３２Ｂとの交差角度よりも小さい。
【００５７】
上記構成のキャップ１０において、計量時に多く出し過ぎて再び容器本体１００Ａ内へ戻される内容物のうち、第１傾斜部２２Ａを流動する内容物は、例えば、緩傾斜部４２の上面４２Ａから急傾斜部４３の上面４３Ａを順次流動する。上面４３Ａを流動した内容物は、上面４３Ａにおける最下部の液会合部３４に達する。上面４３Ａを流動した内容物は、上面３２Ｂを流動した内容物と会合する。
【００５８】
このとき、上面４３Ａは、水平面に対する交差角度が水平面に対する上面４２Ａの交差角度よりも大きく、また、第２傾斜部２２Ｂの上面３２Ｂとの交差角度が上述した第１実施形態における上面３２Ａと第２傾斜部２２Ｂの上面３２Ｂとの交差角度よりも小さいため、狭い空間において大きな流動速度で上面３２Ｂを流動した内容物と会合する。そのため、上面４３Ａを流動した内容物と上面３２Ｂを流動した内容物とは液会合部３４において短時間で合一することができる。また、より大きな運動エネルギーをもって合一した内容物は、大きな速度で注出用開口部２３に向かって移動し、そして、大きな速度で液会合部３４と連なった液回収促進面５１に沿って流下する。
【００５９】
さらに、本実施形態では、液会合部３４が、Ｙ方向の両外側から軸線Ｃ（注出用開口部２３）に向かうのに従って下向き（−Ｚ側）に傾斜しているため、液会合部３４で合一した内容物は、下側に傾斜する液会合部３４に沿って重力が加わった大きな速度で注出用開口部２３に向かって移動し、液会合部３４と連なった液回収促進面５１に沿って流下することになる。
【００６０】
このように、本実施形態のノズルキャップ１０では、上記第１実施形態と同様の作用・効果が得られることに加えて、液会合部３４における内容物の合一、及び合一した内容物がより大きな速度で流動及び流下することにより、内容物を一層速やかに容器本体１００Ａに回収することが可能となる。
【００６１】
以上、添付図面を参照しながら本発明に係る好適な実施形態について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【００６２】
例えば、上記実施形態では、第１傾斜部２２Ａの上面３２Ａと第２傾斜部２２Ｂの上面３２Ｂとが平面形状である構成を例示したが、この構成に限定されず、少なくとも一方が軸線Ｃと平行な軸線を中心とし、上端よりも下端が軸線Ｃに近くなるように傾斜する円錐状の曲面であってもよい。この構成においても、液会合部３４と注出用開口部２３の周縁２３ｃとの二つの交点をつなぐ直線を含むＺ方向に垂直でＸＹ平面と平行な仮想平面を考えた時に、周縁２３ｃの上端は全てこの仮想平面に含まれるか、又はこの仮想平面よりも−Ｚ側に存在することが内容物を速やかに回収する観点から好適である。
【符号の説明】
【００６３】
１０…ノズルキャップ（キャップ）、  １１…嵌合部、  １２…ノズル基部、  １３…ノズル部、  ２１…内側筒部、  ２２…底面部、  ２２Ａ…第１傾斜部（傾倒側傾斜底部）、  ２２Ｂ…第２傾斜部（反傾倒側傾斜底部）、  ２３…注出用開口部、  ２３ａ、２３ｂ…周縁（第２部分）、  ２３ｃ…周縁（第１部分）、  ３４…液会合部、  ５０…突出壁、  ５０ｃ…平坦面（平坦部）、  ５１…液回収促進面、  １００…容器、  １００Ａ…容器本体、  １０１…口部
【図１】
2019123511.tif 000003
【図２】
2019123511.tif 000004
【図３】
2019123511.tif 000005
【図４】
2019123511.tif 000006
【図５】
2019123511.tif 000007
【図６】
2019123511.tif 000008
【図７】
2019123511.tif 000009
【図８】
2019123511.tif 000010
【図９】
2019123511.tif 000011